(57)【特許請求の範囲】
【請求項１】
第１の筐体と第２の筐体とが互いに重ね合わされてスライド可能に結合されたスライド式携帯端末であって、
上記第１の筐体の裏面に設けられた一対のレール部と、
上記第２の筐体の表面に設けられ、上記一対のレール部に対してスライド可能に係合するスライダと、
上記一対のレール部の、開くときのスライド方向と反対側に設けられ、上記第１の筐体と上記第２の筐体との隙間を埋める一対の突起部とが備えられ、
上記突起部の上記第２の筐体との接触面には、上記スライダがスライドするときに異物を取り除くようにテーパ面が形成されている
ことを特徴とするスライド式携帯端末。
【請求項２】
請求項１に記載のスライド式携帯端末において、
上記一対の突起部は、第１の筐体の裏面側から見てテーパ面が互いに外側を向くようにハの字状又は逆ハの字状に配置されている
ことを特徴とするスライド式携帯端末。
【請求項３】
請求項２に記載のスライド式携帯端末において、
上記一対の突起部は、第１の筐体の裏側から見て上記スライダの移動範囲を規制するストッパの内側に配置されている
ことを特徴とするスライド式携帯端末。
【請求項４】
請求項３に記載のスライド式携帯端末において、
上記ストッパの表面には、上記突起部のテーパ面の外側に該突起部によって取り除かれた異物を外側へ排出する異物排出用凹部が形成されている
ことを特徴とするスライド式携帯端末。
【請求項５】
請求項１乃至４のいずれか１つに記載のスライド式携帯端末において、
上記一対の突起部は、樹脂成形品で構成されている
ことを特徴とするスライド式携帯端末。
【請求項６】
請求項５に記載のスライド式携帯端末において、
上記一対の突起部は、ポリカーボネートを材料としている
ことを特徴とするスライド式携帯端末。
【請求項７】
請求項５に記載のスライド式携帯端末において、
上記一対の突起部は、ポリアセタール樹脂を材料としている
ことを特徴とするスライド式携帯端末。
【請求項８】
請求項１乃至７のいずれか１つに記載のスライド式携帯端末において、
上記一対の突起部のテーパ面と接触面との間の角部のＲ面取りの半径は、第１の筐体の裏面から該接触面が飛び出す高さと、第１の筐体の裏面と第２の筐体の表面との間の隙間との差と同等に設定されている
ことを特徴とするスライド式携帯端末。
【請求項９】
請求項１乃至８のいずれか１つに記載のスライド式携帯端末において、
上記第１の筐体に表示部が設けられ、
上記第２の筐体に操作部が設けられた携帯電話機である
ことを特徴とするスライド式携帯端末。
【発明の詳細な説明】
【技術分野】
【０００１】
本発明は、第１の筐体と第２の筐体とが互いに重ね合わされてスライド可能に結合されたスライド式携帯端末に関し、特にその傷防止の技術に関する。
【背景技術】
【０００２】
スライド式携帯端末であるスライド式携帯電話機は、一方の筐体に表示部と一部の機能ボタン又は表示部のみを、他方の筐体に入力ボタンを有する操作部を設け、２つの筐体を上下に重ね合わせ、操作部を隠蔽して携帯時に小さく閉じてボタンを使用できないようにしたり、使用時には大きくスライドさせ入力ボタンの操作を可能にしたりしている。
【０００３】
例えば、特許文献１は、奥側筐体に対して表側筐体が相対的にスライド可能な携帯端末において、表側筐体に断面形状がＴ字形状である突出部を設け、奥側筐体に突出部を囲むようにガイド溝枠を設け、このガイド溝枠内が突出部の移動可能な軌道とし、突出部がガイド溝枠の両端に位置したときに、それぞれガイド溝枠の溝全領域が表側筐体の対面範囲内に収まる位置関係に配置している。このことで、筐体が閉じた状態でもスライドして開いた状態でも溝が外観に出ることがなく、溝へのゴミやほこりの侵入を抑制し、筐体の密閉性を向上させようとしている。
【０００４】
また、特許文献２では、操作側の第１筐体と表示側の第２筐体とが互いにスライド可能に係合している無線端末機において、第１筐体に第２筐体との摺接面に極細繊維からなる不織布を貼り付け、第１筐体内の回路基板から伸びるフレキシブルリードを外部へ引き出すための開口を包囲して拡げている。このことで、第２筐体をスライドさせるときの摩擦抵抗を軽減すると共に、スライドに伴う両筐体間や筐体内へのゴミや塵の侵入を有効に阻止するようにしている。
【特許文献１】特開２００３−３１９０４２号公報
【特許文献２】特開２００４−１５３５９７号公報
【発明の開示】
【発明が解決しようとする課題】
【０００５】
しかしながら、上記特許文献１では、溝が外観上現れないものの、スライド可能とするためには、第１の筐体（表側筐体）の裏面と第２の筐体（奥側筐体）の表面との間に多少の隙間を保つ必要があり、両者の間に細かい粒子などの固い異物が挟まれて一方の筐体に付着すると、スライドする度に他方の筐体に線状の傷が付くという問題がある。
【０００６】
また、上記特許文献２でも同様に異物が不織布に付着したままとなり、スライドする度に不織布と反対側の筐体に線状の傷が付くという問題がある。
【０００７】
本発明は、かかる点に鑑みてなされたものであり、その目的とするところは、埃や細かい粒子等の異物が第１の筐体の裏面と第２の筐体の表面との間に挟まってもスライドすることで摺動面から異物を取り除いて線状の傷が発生するのを防止することにある。
【課題を解決するための手段】
【０００８】
上記の目的を達成するために、この発明では、第１の筐体と第２の筐体との隙間を埋める一対の突起部の接触面に異物を取り除くためのテーパ面を設けた。
【０００９】
具体的には、第１の発明では、
第１の筐体と第２の筐体とが互いに重ね合わされてスライド可能に結合されたスライド式携帯端末を対象とする。
【００１０】
そして、上記スライド式携帯端末は、
上記第１の筐体の裏面に設けられた一対のレール部と、
上記第２の筐体の表面に設けられ、上記一対のレール部に対してスライド可能に係合するスライダと、
上記一対のレール部の開くときのスライド方向と反対側に設けられ、上記第１の筐体と上記第２の筐体との隙間を埋める一対の突起部とが備えられ、
上記突起部の上記第２の筐体との接触面には、上記スライダがスライドするときに異物を取り除くようにテーパ面が形成されている。
【００１１】
上記の構成によると、一対の突起部により、第１の筐体のスライド時のがたつきが防止されると共に、突起部のテーパ面により、埃や細かい粒子等の異物は第２の筐体との接触面から取り除かれるので、第２の筐体の表面に線状の傷が付くことはない。
【００１２】
第２の発明では、第１の発明において、
上記一対の突起部は、第１の筐体の裏側から見てテーパ面が互いに外側を向くようにハの字状又は逆ハの字状に配置されている。
【００１３】
上記の構成によると、突起部の第２の筐体との接触面に付着した異物がスライド時の摩擦力を利用して突起部の外側に確実に排出される。
【００１４】
第３の発明では、第２の発明において、
上記一対の突起部は、第１の筐体の裏側から見て上記スライダの移動範囲を規制するストッパの内側に配置されている。
【００１５】
上記の構成によると、第１の筐体をスライドさせるときの衝撃が突起部にかからないので、突起部が痛みにくい。
【００１６】
第４の発明では、第３の発明において、
上記ストッパの表面には、上記突起部のテーパ面の外側に該突起部によって取り除かれた異物を外側へ排出する異物排出用凹部が形成されている。
【００１７】
上記の構成によると、ストッパに排出用凹部を設けることで、ストッパがあっても異物の排出を妨げない。
【００１８】
第５の発明では、第１乃至第４のいずれか１つの発明において、
上記一対の突起部は、樹脂成形品で構成されている。
【００１９】
上記の構成によると、樹脂成形品であれば、複雑な形状も成形しやすく、適度に柔らかいので、第２の筐体に傷が付きにくい。
【００２０】
第６の発明では、第５の発明において、
上記一対の突起部は、ポリカーボネートを材料としている。
【００２１】
上記の構成によると、ポリカーボネートは、耐衝撃性、耐熱性に優れているので、突起部の材料として適している。
【００２２】
第７の発明では、第５の発明において、
上記一対の突起部は、ポリアセタール樹脂を材料としている。
【００２３】
上記の構成によると、ポリアセタール樹脂（ＰＯＭ）は、非結晶部分と結晶部分が混在するために、強度、弾性率、耐衝撃性、摺動特性に優れているので、突起部の材料として適している。
【００２４】
第８の発明では、第１乃至第７のいずれか１つの発明において、
上記一対の突起部のテーパ面と接触面との間の角部のＲ面取りの半径は、第１の筐体の裏面から該接触面が飛び出す高さと、第１の筐体の裏面と第２の筐体の表面との間の隙間との差と同等に設定されている。
【００２５】
上記の構成によると、突起部の先端と第２の筐体の表面との間のラップ量と同等に突起部のテーパ面と接触面との間の角部のＲ面取りの半径を設定することにより、Ｒ面取りがあることで引っ掛かりがなくなると共に、Ｒ面取りを大きくしすぎて面取りと第２の筐体の表面との間に異物が噛み込むのが防止される。
【００２６】
第９の発明では、第１乃至第８のいずれか１つの発明において、
スライド式携帯端末は、上記第１の筐体に表示部が設けられ、
上記第２の筐体に操作部が設けられた携帯電話機とする。
【００２７】
上記の構成によると、スライド時のぐらつきがなく、線状の傷が発生しがたいので、スライド量を大きくすることができ、操作部が扱いやすく商品性の高い携帯電話機が得られる。
【発明の効果】
【００２８】
以上説明したように、本発明によれば、一対のレール部の一端側に第１の筐体と第２の筐体との隙間を埋める一対の突起部を設け、突起部の第２の筐体との接触面にテーパ面を形成したことにより、埃や細かい粒子等の異物が第１の筐体の裏面と第２の筐体の表面との間に挟まってもスライドすることで摺動面から異物を取り除いて線状の傷が発生するのを防止することができる。
【発明を実施するための最良の形態】
【００２９】
以下、本発明の実施形態を図面に基づいて説明する。
【００３０】
図１及び図２は本発明の実施形態のスライド式携帯電話機１を示し、このスライド式携帯電話機１は、表面に表示部２が設けられた第１の筐体３と表面５ａに操作部４が設けられた第２の筐体５とが互いに重ね合わされてスライド可能に結合されている。このことで、図１に示す閉じた状態と、図２に示す開いた状態とに切換可能となっている。
【００３１】
図３に示すように、第１の筐体３の裏面３ａには、上下に延びる一対のレール部６が形成されている。このレール部は、樹脂製でも金属製でもよい。レール部６の上下端部の近傍には、ストッパ１６がそれぞれ設けられ、第１の筐体３のスライド範囲が規制されている。
【００３２】
一方、図４及び図５に示すように、第２の筐体５の表面５ａ上側には、一対のレール部６がスライドするスライダ７が固定されている。このスライダ７は、例えば板金性のものよりなり、図６に示すように、両端のコ字状の一対の係合部７ａが外側から各レール部６に係合するようになっている。
【００３３】
図４〜図６に示すように、第１の筐体３と第２の筐体５との間には、捩りコイルバネ８が設けられ、第１の筐体３のスライドを補助するようになっている。具体的には、捩りコイルバネ８の一端８ａが第１の筐体３の裏面３ａに設けた第１支持ピン９に回転自在に支持され、他端８ｂが第２の筐体５の表面５ａに設けた第２支持ピン１０に回転自在に支持されている。
【００３４】
そして、本発明の特徴として、一対のレール部６の下端側には、第１の筐体３と第２の筐体５との隙間を埋める一対の突起部１１が備えられている。一対の突起部１１は、樹脂成形品で構成され、例えば、ポリカーボネートを材料としている。ポリカーボネートは、耐衝撃性、耐熱性に優れているので、突起部１１の材料として適している。また、一対の突起部１１は、ポリアセタール樹脂を材料としてもよい。ポリアセタール樹脂（ＰＯＭ）は、非結晶部分と結晶部分が混在するために、強度、弾性率、耐衝撃性、摺動特性に優れているので、突起部１１の材料として適している。
【００３５】
図７〜図９に示すように、突起部１１の第２の筐体５との接触面１２には、スライダ７がスライドするときに異物を取り除くようにテーパ面１３が形成されている。このテーパ面１３は、第１の筐体３の裏面３ａ側から見てテーパ面１３が互いに外側を向くように逆ハの字状に配置されている。一対の突起部１１のテーパ面１３と接触面１２との間の角部のＲ面取り１４の半径は、第１の筐体３の裏面３ａから接触面１２が飛び出す高さｈ１と、第１の筐体３の裏面３ａと第２の筐体５の表面５ａとの間の隙間ｈ２との差（ｈ１−ｈ２）と同等に設定されている。突起部１１の下方には、上下方向に長いベース部１５が一体に設けられている。なお、図７（ｂ）では、説明上突起部１１の先端が第２の筐体５の表面５ａに食い込んでいるが、実際には、突起部１１が変形して第２の筐体５の表面５ａに摺接している。
【００３６】
一対の突起部１１は、第１の筐体３の裏面３ａ側から見てスライダ７の移動範囲を規制するストッパ１６の左右内側に配置されている。レール部６の下端にストッパ１６を第１の筐体３の側面に嵌め込むときに、そのベース部１５を挟み込むことで、突起部１１が第１の筐体３の裏面３ａに固定されている。
【００３７】
ストッパ１６の表面には、突起部１１によって取り除かれた異物を外側へ排出する異物排出用凹部１６ａが形成されている。
【００３８】
−突起部の作用−
次に、本実施形態にかかるスライド式携帯電話機１の突起部１１の作用について説明する。
【００３９】
図２の開いた状態では、突起部１１がスライド時に摺接する部分に埃や細かい粒子等の異物が付着することがある。
【００４０】
そして、使用後に図１の閉じた状態に第１の筐体３をスライドさせると、捩りコイルバネ８の作用により、スライド操作が補助され、スライダ７がストッパ１６に当接して止まる。このとき、突起部１１をストッパ１６の左右内側に設けたので、第１の筐体３をスライドさせるときの衝撃が突起部１１にかからない。このため、突起部が痛みにくい。また、一対の突起部１１により、第１の筐体３のスライド時のがたつきが防止される。
【００４１】
そして、異物が突起部１１のテーパ面１３に接触し、スライド時の摩擦力によってテーパ面１３に沿って左右外側へ押し出される。押し出された異物は、ストッパ１６の排出用凹部１６ａ上に排出され、第２の筐体５の表面５ａから排出される。このように、ストッパ１６があっても異物の排出を妨げず、突起部１１のテーパ面１３により、第２の筐体５との接触面１２に付着した埃や細かい粒子等の異物は、第２の筐体５との接触面１２から取り除かれる。
【００４２】
また、突起部１１の先端と第２の筐体５の表面５ａとの間のラップ量と同等に突起部１１のテーパ面１３と接触面１２との間の角部のＲ面取り１４の半径を設定することにより、Ｒ面取り１４があることで引っ掛かりがなくなると共に、Ｒ面取り１４を大きくしすぎて面取りと第２の筐体５の表面５ａとの間に異物が噛み込むのが防止される。
【００４３】
さらに、突起部１１を樹脂成形品としたので、複雑な形状も成形しやすく、適度に柔らかいので、第２の筐体５に傷が付きにくい。
【００４４】
−実施形態の効果−
したがって、本実施形態にかかるスライド式携帯電話機１によると、一対のレール部６の一端側に第１の筐体３と第２の筐体５との隙間を埋める一対の突起部１１を設け、突起部１１の第２の筐体５との接触面１２にテーパ面１３を形成したことにより、埃や細かい粒子等の異物が第１の筐体３の裏面３ａと第２の筐体５の表面５ａとの間に挟まってもスライドすることで摺動面から異物を取り除いて線状の傷が発生するのを防止することができる。
【００４５】
また、突起部１１を設けたことにより、ぐらつきがなく、線状の傷が発生しがたいので、スライド量を大きくすることができ、操作部が扱いやすく商品性の高い携帯電話機が得られる。
【００４６】
（その他の実施形態）
本発明は、上記実施形態について、以下のような構成としてもよい。
【００４７】
すなわち、上記実施形態では、第１の筐体３に表示部２を設け、第２の筐体５に操作部４を設けたが、逆に第１の筐体３に操作部４を設け、第２の筐体５に表示部２を設けてもよい。また、第１の筐体３と第２の筐体５とは、縦長形状としたが、横長形状としてもよい。
【００４８】
上記実施形態では、テーパ面１３は第１の筐体３の裏面３ａ側から見てテーパ面１３が互いに外側を向くように逆ハの字状に配置したが、第１の筐体３の裏面３ａ側から見てハの字状に設けてもよい。この場合には、第１の筐体３をスライドさせてスライド式携帯電話機１を開くときに突起部１１が異物を取り除くようになる。
【００４９】
なお、以上の実施形態は、本質的に好ましい例示であって、本発明、その適用物や用途の範囲を制限することを意図するものではない。
【図面の簡単な説明】
【００５０】
【図１】本発明の実施形態にかかるスライド式携帯電話機の閉じた状態を示す斜視図である。
【図２】本発明の実施形態にかかるスライド式携帯電話機の開いた状態を示す斜視図である。
【図３】第１の筐体の裏面を示す斜視図である。
【図４】スライド式携帯電話機の閉じた状態にある第２の筐体の表面に設けたスライダ、捩りコイルバネ及びその周辺を示す斜視図である。
【図５】スライド式携帯電話機の開いた状態にある第２の筐体の表面に設けたスライダ、捩りコイルバネ及びその周辺を示す斜視図である。
【図６】スライド式携帯電話機を開いたときのスライダと第１の筐体との関係を示す斜視図である。
【図７】（ａ）は、スライド式携帯電話機の正面図であり、（ｂ）は（ａ）のVIIｂ−VIIｂ線断面図である。
【図８】第１の筐体の裏面側を別の方向から示し、突起部及びその周辺を拡大した斜視図である。
【図９】突起部の斜視図であり、（ａ）と（ｂ）は別々の方向から見たものである。
【符号の説明】
【００５１】
１      スライド式携帯電話機（スライド式携帯端末）
２      表示部
３      第１の筐体
４      操作部
５      第２の筐体
６      レール部
７      スライダ
７ａ    係合部
８      コイルバネ
８ａ    一端
８ｂ    他端
９      第１支持ピン
１０      第２支持ピン
１１      突起部
１２      接触面
１３      テーパ面
１５      ベース部
１６      ストッパ
１６ａ    異物排出用凹部
【図１】
0004758449.tif 000002
【図２】
0004758449.tif 000003
【図３】
0004758449.tif 000004
【図４】
0004758449.tif 000005
【図５】
0004758449.tif 000006
【図６】
0004758449.tif 000007
【図７】
0004758449.tif 000008
【図８】
0004758449.tif 000009
【図９】
0004758449.tif 000010